(57)【要約】  塔内の兵器システム（１００）の搭載空間寸法が満たされ、かつ相対的に大きいキャリバーの兵器バレル（１）の装填室の直径（１６）が相対的に小さいキャリバー（１'）に関するものと同様にしてほぼ維持される。キャリバーを大きくするために必要とされる相対的に大きい装填室容積は、本発明によれば主として、相対的に小さいキャリバーの兵器バレル（１'）の装填室（１７'）自体に対して、相対的に大きいキャリバーの兵器バレル（１）の装填室（１７）を長くする（２０）ことによって達成される。キャリバーが相対的に大きい場合に装填室の直径（１６）はほぼ変化しないので、装填部分（１５、１５'）の領域内では、相対的大きいキャリバーの兵器バレル（１）の外側寸法（１８）も、相対的に小さいキャリバーの兵器バレル（１'）の外側寸法（１８'）に対してほとんど変化しない。
2019517659.tif 000002
【特許請求の範囲】
【請求項１】
少なくとも一つの尾栓（２）とブローバックシステム（３）とを有する、兵器システム（１００）において、
装填室を有する交換可能な、相対的に大きいキャリバーの兵器バレル（１）を備え、該相対的に大きいキャリバーの兵器バレル（１）が、相対的に小さいキャリバーの兵器バレル（１'）の装填室に比べて延びている装填室（２０）を有し、一方で、兵器システム（１００）の性能を高めるために、前記相対的に小さいキャリバーの兵器バレル（１'）の装填室直径（１６、１６'）をほぼ維持する、ことを特徴とする兵器システム（１００）。
【請求項２】
前記相対的に大きいキャリバーの兵器バレル（１）が、前記相対的に小さいキャリバーの兵器バレル（１'）よりも大きいキャリバー直径（１３）を有するキャリバー部分（１２）を備えている、ことを特徴とする請求項１に記載の兵器システム（１００）。
【請求項３】
前記相対的に大きいキャリバーの兵器バレル（１）が１３０ｍｍのキャリバーを有し、前記相対的に小さいキャリバーの兵器バレル（１'）が１２０ｍｍのキャリバーを有する、ことを特徴とする請求項２に記載の兵器システム（１００）。
【請求項４】
前記相対的に大きいキャリバーの兵器バレル（１）の装填室の長さ（１７）が、発射すべき弾薬に従って選択可能である、ことを特徴とする請求項１〜３の何れか一項に記載の兵器システム（１００）。
【請求項５】
前記相対的に大きいキャリバーの兵器バレル（１）の装填室の長さ（１７）が、必要とされる装薬量に従って選択可能である、ことを特徴とする請求項１〜４の何れか一項に記載の兵器システム（１００）。
【請求項６】
前記兵器システム（１００）の跳ね返り経路が延長している、ことを特徴とする請求項１〜５の何れか一項に記載の兵器システム（１００）。
【請求項７】
請求項１〜６の何れか一項に記載の兵器システム（１００）を有する戦闘車両。
【請求項８】
相対的に大きいキャリバーを有する兵器システムが、相対的に小さいキャリバーの兵器システムに対して交換可能かつ／又は代用可能である、ことを特徴とする請求項７に記載の戦闘車両。
【請求項９】
性能が高い、ことを特徴とする請求項７又は８に記載の戦闘車両。
【請求項１０】
前記戦闘車両が戦闘戦車である、ことを特徴とする請求項７又は８に記載の戦闘車両。
【発明の詳細な説明】
【技術分野】
【０００１】
本発明は、兵器システム、特に、たとえばレオパルト２又はルクレールのような、戦闘車両の既存の砲塔内で変更されない接合部（インターフェース）において大きいキャリバーを有するものに関する。本発明は特に、兵器及びそれに伴って戦闘車両の性能を高めることを目的として、相対的に小さいキャリバーの兵器システムの既存の「砲塔」接合部内へ相対的に大きいキャリバー直径を有する兵器システムを適合させることに関する。
【背景技術】
【０００２】
地政学上の位置変化及び過去の出撃経験は、衝撃力があり、高移動性であって、十分に訓練され、かつ装備された戦闘部隊が安全保障政策上で欠くことのできない手段であることを明らかにしている。戦闘効果を改善する発想は、既存のシステム、装置、車両などが幾重にも改良することを含み、これらは新しい要件を満たすことができる。
【０００３】
今の戦車レオパルト２は、１２０ｍｍのキャリバーを有する兵器システムを使用できる。このレオパルト２は、７０年代後期において、それまで使用されていた１０５ｍｍのキャリバーを有する大砲を備えた戦車レオパルト１にとって代わった。すなわちキャリバーの増大が行われた。しかし、戦車におけるキャリバーの増大は、戦車システム全体に著しい影響を与える。この影響は特に、装填室が大きくなることにより、特に兵器システムの搭載空間又は寸法に反映される。砲塔の負荷又はシステム負荷も問題となる。このような問題は、弾薬操作（寸法）及び弾薬庫の寸法からも生じる。新しい兵器システム、例えば１４０ｍｍのキャリバーを取り付けるための早期の研究は、上述した問題を明らかにした。
【先行技術文献】
【特許文献】
【０００４】
【特許文献１】独国特許第３８３６７１８（Ｃ２）号明細書
【特許文献２】英国特許第２３２９８９（Ａ）号明細書
【特許文献３】米国特許第２８１５６０２（Ａ）号明細書
【発明の概要】
【発明が解決しようとする課題】
【０００５】
したがって、本発明の課題は、上述した問題の解決において、戦車の兵器システムの著しい出力増大を示すことである。
【課題を解決するための手段】
【０００６】
この課題は、請求項１又は７によって解決される。好ましい形態が、下位請求項から読み取ることができる。
【０００７】
本発明は、戦車レオパルト２の著しい性能増大（火力）が、主として兵器システムの相対的に大きいキャリバー直径と、相対的に大きい装填室容積の使用を介して可能になる、という考えから出発している。
【０００８】
特許文献１はすでにこのやり方を達成している。特許文献１からはシールドピン支承が知られており、それが組立て高さにおいて、キャリバーの異なる兵器バレル用の様々な揺架支持体を収容することができ、その場合にそれぞれ兵器バレルの様々な射撃高さを保証する。
【０００９】
特許文献２は、引き出された兵器バレルから弾薬をきわめて遠く、あるいはきわめて近く発射することができる可能性を開示している。兵器バレルの薬室が少なくとも２つの圧力円錐を有しており、それによって兵器バレルから異なる長さの砲弾を発射することができる。様々なスリーブ長さを有する弾薬発射用の兵器バレルを記述しているのが、特許文献３である。
【００１０】
しかし、本発明は、新しい兵器システムによって元の兵器システムの搭載空間寸法を維持し、かつキャリバーの相対的に大きい兵器バレルの装填室寸法を、相対的に小さいキャリバーに関するものと同様にしてほぼ維持する、という考えに基づいている。キャリバー増大のために必要な相対的に大きい装填室容積は、本発明によれば主として、兵器バレル自体の装填室を延長することによって達成される。相対的に大きいキャリバーにおいて装填室直径はほとんど変化しないので、装填部分の領域における兵器バレルの外側寸法も、ほとんど変化しない。
【００１１】
装填室長さの延長は、所望の発射出力に従って選択される。この延長は、所望の砲弾長さ（ＫＥ弾薬のペネトレータの必要な長さ）とそれによって必要となる発射薬質量とによって定められる。弾薬長さは、戦闘車両の弾薬庫の最大の大きさによって制限される。
【００１２】
したがって、上述した考えもしくは設定は、兵器システムの外側寸法に影響を与えず、またはわずかな影響しか与えない。跳ね返り負荷の増大は、兵器システムの跳ね返り（ブローバック）経路の延長を介して補償することができる。兵器バレルと尾栓のより硬い材料を介してガス圧水準を高める場合に、さらなる出力増大が可能となろう。
【００１３】
この考えの利点は、寸法に関する問題が、相対的に大きいキャリバーの新しい兵器システムによって回避されることである。相対的に大きいキャリバー寸法と相対的に大きい装填室とによって兵器システムの著しい性能増大が図られる。性能増大は、実質的に、キャリバー直径の増大、装填室長さの延長及びそれによって得られる、発射薬のより大きい体積及びそれによって可能となる砲弾（たとえばＫＥペネトレータ）の延長によって達成される。すなわちより多くの発射薬粉末及びより長い砲弾（ＫＥペネトレータのような）を使用することができる。それが、目標における有効性（出力）を高める。
【００１４】
砲塔内の兵器システムの搭載空間寸法を守り、かつ相対的に大きいキャリバーの兵器バレルの装填室直径を相対的に小さいキャリバーに関するものと同様にしてほぼ維持することが、提案される。キャリバー増大のために必要なより大きい装填室容積は、本発明によれば主として、キャリバーの相対的に小さい兵器バレル自体の装填室に対してキャリバーの相対的に大きい兵器バレルの装填室を延長することによって達成される。キャリバーが相対的大きい場合に装填室直径は、ほぼ変化しないので、装填部分の領域においてキャリバーの相対的に小さい兵器バレルの外側寸法に対するキャリバーの相対的に大きい兵器バレルの外側寸法も、ほぼ変化しない。兵器バレル、尾栓及び跳ね返りシステムを有する、キャリバー増大された兵器システムが、戦車の砲塔内のより小さい兵器システムの既存の接合部（インターフェース）内へ統合することができる。既存の接合部を維持する場合に、キャリバーの相対的に小さい兵器システムを、キャリバーの相対的に大きい兵器システムによって交換することができ、かつ／又は代用することができる。
【００１５】
図面と共に実施例を用いて、本発明を詳細に説明する。
【図面の簡単な説明】
【００１６】
【図１】兵器システムを示す斜視図である。
【図２】従来技術に基づく、相対的に小さいキャリバーを有する兵器バレルを図式的に示す断面図である。
【図３】相対的に大きいキャリバーを有する兵器バレルを図式的に示す断面図である。
【発明を実施するための形態】
【００１７】
図１には、兵器システム１００の重要なアッセンブリとして、兵器バレル１、尾栓２及び跳ね返り（ブローバック）システム３を備えた兵器システム１００が示されている。
【００１８】
図２には、従来技術に基づく兵器バレル１’が、断面で概略的に図示されている。兵器バレル１’の前方の領域１１’は、キャリバー直径１３'を有するキャリバー部分１２’である。兵器バレル１’の後方の領域１４’は、装填室直径１６'と装填室長さ１７'とを有する装填部分１５’である。
【００１９】
図３は、従来技術に対して変更された本発明に係る兵器バレル１が図式的な断面で示されている。前方の領域１１は、キャリバー直径１３を有するキャリバー部分１２である。後方の領域１４は、装填直径１６と装填室長さ１７とを備えた装填部分１５である。
【００２０】
図２の兵器バレル１'は、図３の兵器バレル１よりも相対的に小さいキャリバーを有している。その場合に兵器バレル１'は、この形態において１２０ｍｍのキャリバーであり、兵器バレル１は１３０ｍｍのキャリバーである。したがって、キャリバーの相対的に小さい兵器バレル１'のキャリバー直径１３'（１２０ｍｍ）は、キャリバーの相対的に大きい兵器バレル１のキャリバー直径１３（１３０ｍｍ）よりも小さい。
【００２１】
兵器システム１００は、戦車の接合部（インターフェース）などを介して、通常砲塔内に組み込まれている。その場合に各兵器システムは、砲塔内にいわゆる搭載空間を必要とする。
【００２２】
砲塔の／砲塔内の既存の接合部及び、兵器バレル１’を有する兵器システム１００’のための既存の搭載空間（詳しく図示せず）を、相対的に大きいキャリバーの兵器バレル１を有する兵器システム１００によって利用することができるようにするために、兵器バレル１の装填室直径１６は、相対的に小さいキャリバーの兵器バレル１’の装填室直径１６’に関して維持される。
【００２３】
しかし、相対的に大きいキャリバーの兵器バレル１の装填部分１５の装填室長さ１７は、キャリバーの相対的に小さい兵器バレル１’の装填部分１５’の装填室長さ１７’に関して（図３を参照）、長さ２０だけ変化する。しかし、兵器バレル１、１’の外側寸法１８、１８’は、装填部分１５、１５’の領域内では等しく、すなわちこの領域内ではキャリバーの相対的に大きい兵器バレル１の外側寸法１８は、キャリバーの相対的に小さい兵器バレル１’に対してほとんど変化していない。
【００２４】
その場合に、装填室１７の長さ２０は、使用すべき、もしくは発射すべき弾薬の長さや、目標内で性能を高めるために必要な発射薬量に依存している。
【００２５】
砲塔又は接合部の確実な負荷能力を守るために、兵器システム１００の跳ね返り経路は、たとえば延長することができる。
【００２６】
上述したように、兵器システムの性能を増大させるための本発明の考えは、１３０ｍｍのキャリバーに限定されず、小型−、中型−及び他の大口径の兵器システムにおいても、使用することができる。
【図１】
2019517659.tif 000003
【図２−３】
2019517659.tif 000004
【国際調査報告】
2019517659.tif 000005
2019517659.tif 000006
2019517659.tif 000007
2019517659.tif 000008
2019517659.tif 000009
2019517659.tif 000010